【手続補正書】
【提出日】平成16年11月26日(2004.11.26)
【手続補正１】
【補正対象書類名】明細書
【補正対象項目名】全文
【補正方法】変更
【補正の内容】
【書類名】      明細書
【発明の名称】  インクジェット記録用水性インク
【特許請求の範囲】
【請求項１】  下記（ａ）群より選択される少なくとも１種のアミン化合物、下記（ｂ）群より選択される少なくとも１種の界面活性剤、着色剤、及び、水を含有することを特徴とするインクジェット記録用水性インク。
（ａ）群  下記一般式（１）で表されるアミン化合物、Ｎ−ｎ−ブチルエタノールアミン、１，４−ビス（３−アミノプロピル）ピペラジン及びベンジルアミンからなる群。
【化１】
2003335993.tif 000001
前記一般式（１）中、側鎖（Ａ）は水素原子又はメチル基を表し、側鎖（Ｂ）はヒドロキシル基を含有する基を表し、側鎖（Ｃ）は水素原子又はヒドロキシル基を表し、ｑは５以下の整数である。
（ｂ）群  下記一般式（２）で表される界面活性剤、下記一般式（３）で表される界面活性剤及び下記一般式（４）で表される界面活性剤からなる群。
【化２】
2003335993.tif 000002
前記一般式（２）中、Ｒ１はアルキル基を表し、ｘ＋ｙ＝５〜１５の整数である。
【化３】
2003335993.tif 000003
前記一般式（３）中、ｚは９以下の整数である。
【化４】
2003335993.tif 000004
一般式（４）中、Ｒ２はアルキル基を表す。
【請求項２】  前記一般式（１）で表されるアミン化合物は、側鎖（Ｂ）がヒドロキシエチル基又は２−ヒドロキシプロピル基であり、かつ、ｑは３以下の整数であることを特徴とする請求項１記載のインクジェット記録用水性インク。
【請求項３】  前記一般式（１）で表されるアミン化合物が、トリイソプロパノールアミン又はＮ−ｎ−ブチルジエタノールアミンであることを特徴とする請求項１記載のインクジェット記録用水性インク。
【請求項４】  前記一般式（２）で表される界面活性剤が、ポリオキシエチレンオレイルアミン又はポリオキシエチレンラウリルアミンであることを特徴とする請求項１記載のインクジェット記録用水性インク。
【請求項５】  前記一般式（３）で表される界面活性剤が、ポリオキシエチレンラウリルエーテルであることを特徴とする請求項１記載のインクジェット記録用水性インク。
【請求項６】  前記一般式（４）で表される界面活性剤が、ヤシ油脂肪酸ジエタノールアミド又はラウリル酸ジエタノールアミドであることを特徴とする請求項１記載のインクジェット記録用水性インク。
【請求項７】  前記（ａ）群より選択される少なくとも１種のアミン化合物のインクジェット記録用水性インクにおける含有量が、前記インクジェット記録用水性インクの全量に対して０．０１〜１０重量％であることを特徴とする請求項１〜６のいずれかに記載のインクジェット記録用水性インク。
【請求項８】  前記（ｂ）群より選択される少なくとも１種の界面活性剤のインクジェット記録用水性インクにおける含有量が、前記インクジェット記録用水性インクの全量に対して０．０１〜１０重量％であることを特徴とする請求項１〜７のいずれかに記載のインクジェット記録用水性インク。
【発明の詳細な説明】
【０００１】
【発明の属する技術分野】
本発明は、インクジェットプリンターに用いるインクジェット記録用水性インクに関する。
【０００２】
【従来の技術】
インクジェット記録方式は、例えば、静電吸引方式；圧電素子を用いてインクに機械的振動又は変位を与える方式；インクを加熱することにより気泡を発生させ、その時に発生する圧力を利用する方式等のインク吐出方式によりインク小滴を形成し、それらの一部又は全部を紙等の被記録材に付着させて記録を行うものである。
【０００３】
このようなインクジェット記録方式に使用するインクジェット記録用インクとしては、水溶性染料又は顔料を、水と水溶性有機溶剤からなる液媒体に溶解又は分散させたものが知られている。このようなインクジェット記録用インクは、インクジェット記録方式に用いるのに最適の性能特性を有することが要求される。具体的には、例えば、記録紙に画像形成した際に、記録紙の繊維に沿った不規則なインクの流れや繊維間への不規則なインクの浸透（以下、フェザリングともいう）がなく、画像の輪郭がシャープな高い印字品質であること；記録紙に画像形成したときの乾燥が速く耐擦性が良好であること；インクジェットヘッドに使用されている樹脂材料や金属材料を腐食せず、ノズルの目詰まりを発生することなく長期にわたり安定した噴射が可能であること等が要求される。
【０００４】
このような性能特性を満足するために、従来、多くの手法が用いられてきた。
特許文献１には、インクの表面張力を高くすることにより、記録紙表面でのインクの浸透性を抑制し、フェザリングの少ない高い印字品質を得る技術が開示されている。しかしながら、インクの記録紙への浸透が遅いことにより、乾燥性が悪くなり耐擦性を悪化させるという問題があった。
これに対して、特許文献２には、不飽和結合を有する界面活性剤と２級又は３級のアルキル基を有する界面活性剤とを併用することにより、フェザリングの少ない高い印字品質を保ったままインクの浸透性を向上させ、速乾性を得る技術が開示されている。
【０００５】
一方、上記圧電素子を利用したインクジェットプリンターの吐出ヘッドは、金属部材が直接インクと接触する構造を有するものが多く、特に水系インクを使用する場合には、上記金属部材が水系インクによって腐食され、フィルター及びノズルでの目詰まりや不吐出の原因となってしまうことがあるという問題があった。
【０００６】
【特許文献１】
特開平８−２５９８６４号公報
【特許文献２】
特開２００１−２２６６１７号公報
【０００７】
【発明が解決しようとする課題】
本発明者らは、鋭意検討を行った結果、アルカノールアミン等のアミン化合物をインクジェット記録用水性インクに添加することにより、アルカノールアミン等のアミン化合物が金属表面に緻密な被膜を形成し、腐食に対する保護膜として吐出ヘッド部の金属部材の腐食を抑制する働きを示し、吐出ヘッドのフィルター及びノズルでの目詰まりを抑制し長期にわたり安定した噴射を可能とすることを見出した。
【０００８】
しかしながら、界面活性剤とアミン化合物を含有した水性インクにおいて、フェザリングの少ない高い印字品質、記録画像の耐擦性、金属腐食抑制による長期のノズル吐出安定性、これらすべての特性を、すべて満たすことは困難であり、界面活性剤及びアミン化合物の種類によっては、記録画像においてフェザリングが生じ、輪郭がシャープではなくなり、印字品質が劣化してしまう。
【０００９】
本発明は、上述した問題点を解決するためになされたものであり、記録画像においてフェザリングのないシャープな輪郭の高い印字品質及び良好な耐擦性を得ることができ、かつ、インクジェット記録装置の吐出ヘッド部の金属部材における腐食を抑制して長期にわたるノズル吐出安定性を得ることができるインクジェット記録用水性インクを提供することを目的とするものである。
【００１０】
【課題を解決するための手段】
本発明は、下記（ａ）群より選択される少なくとも１種のアミン化合物、下記（ｂ）群より選択される少なくとも１種の界面活性剤、着色剤、及び、水を含有するインクジェット記録用水性インクである。
（ａ）群  下記一般式（１）で表されるアミン化合物、Ｎ−ｎ−ブチルエタノールアミン、１，４−ビス（３−アミノプロピル）ピペラジン及びベンジルアミンからなる群。
【００１１】
【化５】
2003335993.tif 000005
【００１２】
上記一般式（１）中、側鎖（Ａ）は水素原子又はメチル基を表し、側鎖（Ｂ）はヒドロキシル基を含有する基を表し、側鎖（Ｃ）は水素原子又はヒドロキシル基を表し、ｑは５以下の整数である。
【００１３】
（ｂ）群  下記一般式（２）で表される界面活性剤、下記一般式（３）で表される界面活性剤及び下記一般式（４）で表される界面活性剤からなる群。
【００１４】
【化６】
2003335993.tif 000006
【００１５】
上記一般式（２）中、Ｒ１はアルキル基を表し、ｘ＋ｙ＝５〜１５の整数である。
【００１６】
【化７】
2003335993.tif 000007
【００１７】
上記一般式（３）中、ｚは９以下の整数である。
【００１８】
【化８】
2003335993.tif 000008
【００１９】
上記一般式（４）中、Ｒ２はアルキル基を表す。
以下に本発明を詳述する。
【００２０】
本発明のインクジェット記録用水性インクは、下記一般式（１）で表されるアミン化合物、Ｎ−ｎ−ブチルエタノールアミン、１，４−ビス（３−アミノプロピル）ピペラジン及びベンジルアミンからなる群より選択される少なくとも１種のアミン化合物を含有する。
【００２１】
本発明者らは、鋭意検討を行った結果、アルカノールアミン等のアミン化合物をインクジェット記録用水性インクに添加することにより、アルカノールアミン等のアミン化合物が金属表面に緻密な被膜を形成し、腐食に対する保護膜として吐出ヘッド部の金属部材の腐食を抑制する働きを示し、吐出ヘッドのフィルター及びノズルでの目詰まりを抑制し長期にわたり安定した噴射を可能とすることを見出した。
【００２２】
上記アルカノールアミンとしては特に限定されず、例えば、エタノールアミン、ジエタノールアミン、トリエタノールアミン等を挙げることができる。
【００２３】
これらのアミン化合物と界面活性剤とが併用されたインクジェット記録用水性インクの多くは、記録画像においてフェザリングが生じ、輪郭がシャープではなくなり、印字品質が劣化してしまうが、このうち、下記一般式（１）で表されるアミン化合物、Ｎ−ｎ−ブチルエタノールアミン、１，４−ビス（３−アミノプロピル）ピペラジン及びベンジルアミンからなる群より選択されるアミン化合物と、下述の特定の界面活性剤とが併用されたインクジェット記録用水性インクは、界面活性剤を含有することにより達成できる良好な耐擦性と、アミン化合物を含有することにより達成できる、鉄、ニッケル、又は、鉄若しくはニッケルを含有する合金からなる金属部材の腐食抑制効果とを有し、かつ、記録画像においてフェザリングのないシャープな輪郭の高い印字品質を得ることができる。
【００２４】
【化９】
2003335993.tif 000009
【００２５】
上記一般式（１）中、側鎖（Ａ）は水素原子又はメチル基を表し、側鎖（Ｂ）は、ヒドロキシル基を含有する基を表し、側鎖（Ｃ）は、水素原子又はヒドロキシル基を表し、ｑは５以下の整数である。ｑが５以下では、インクへの溶解性が良好であり、ｑが３以下のとき溶解性がより良好である。
【００２６】
上記一般式（１）で表されるアミン化合物としては特に限定されず、例えば、トリイソプロパノールアミン、Ｎ−ｎ−ブチルジエタノールアミン等を挙げることができる。
【００２７】
上記一般式（１）で表されるアミン化合物は、側鎖（Ｂ）がヒドロキシエチル基又は２−ヒドロキシプロピル基であり、かつ、ｑは３以下の整数であることが好ましい。上記側鎖（Ｂ）がヒドロキシエチル基又は２−ヒドロキシプロピル基であり、かつ、ｑは３以下の整数である上記一般式（１）で表されるアミン化合物は、本発明のインクジェット記録用水性インクへの溶解性が良好である。
【００２８】
上記一般式（１）で表されるアミン化合物、Ｎ−ｎ−ブチルエタノールアミン、１，４−ビス（３−アミノプロピル）ピペラジン及びベンジルアミンからなる群より選択される少なくとも１種のアミン化合物の本発明のインクジェット記録用水性インクにおける含有量は、本発明のインクジェット記録用水性インクの全量に対して０．０１〜１０重量％であることが好ましい。０．０１重量％未満であると、金属部材に対する充分な腐食抑制効果を得ることができないことがある。１０重量％を超えると、本発明のインクジェット記録用水性インクが必要以上に増粘するため、吐出が困難となったり、記録紙上での乾燥が極端に遅くなる等の問題を生じたりすることがある。より好ましくは０．１〜３重量％である。
【００２９】
本発明のインクジェット記録用水性インクは、下記一般式（２）で表される界面活性剤、下記一般式（３）で表される界面活性剤及び下記一般式（４）で表される界面活性剤からなる群より選択される少なくとも１種の界面活性剤を含有する。
【００３０】
【化１０】
2003335993.tif 000010
【００３１】
上記一般式（２）中、Ｒ１はアルキル基を表し、ｘ＋ｙ＝５〜１５の整数である。ｘ＋ｙが上記範囲内であると、適当な界面活性作用を持ち、必要な浸透性をインクに与えることができる。
【００３２】
上記一般式（２）で表される界面活性剤としては特に限定されず、例えば、ポリオキシエチレンオレイルアミン、ポリオキシエチレンラウリルアミン等のポリオキシエチレンアルキルアミン等を挙げることができる。このうち市販されているものとしては、例えば、エソミンＣ／１５（ｘ＋ｙ＝５）、エソミンＣ／２０（ｘ＋ｙ＝１０）、エソミンＣ／２５（ｘ＋ｙ＝１５）、エソミンＳ／１５（ｘ＋ｙ＝５）、エソミンＳ／２０（ｘ＋ｙ＝１０）、エソミンＳ／２５（ｘ＋ｙ＝１５）、エソミンＴ／１５（ｘ＋ｙ＝５）、エソミンＴ／２０（ｘ＋ｙ＝１０）、エソミンＴ／２５（ｘ＋ｙ＝１５）（以上、ライオンアクゾ社製）等を挙げることができる。
【００３３】
【化１１】
2003335993.tif 000011
【００３４】
上記一般式（３）中、ｚは９以下の整数である。ｚが９以下であると、適当な界面活性作用を持ち、必要な浸透性をインクに与えることができる。
【００３５】
上記一般式（３）で表される界面活性剤としては特に限定されず、例えば、ポリオキシエチレンラウリルエーテル等のポリオキシエチレンアルキルエーテル等を挙げることができる。このうち市販されているものとしては、例えば、エマルゲン１０３、エマルゲン１０４Ｐ、エマルゲン１０５、エマルゲン１０６、エマルゲン１０８（以上、花王社製）等を挙げることができる。
【００３６】
【化１２】
2003335993.tif 000012
【００３７】
上記一般式（４）中、Ｒ２はアルキル基を表す。
【００３８】
上記一般式（４）で表される界面活性剤としては特に限定されず、例えば、ヤシ油脂肪酸ジエタノールアミド、ラウリル酸ジエタノールアミド等を挙げることができる。このうち市販されているものとしては、例えば、プロファンエキストラ２４、プロファンエキストラ１２８エキストラ（以上、三洋化成工業社製）等を挙げることができる。
【００３９】
上記一般式（２）で表される界面活性剤、上記一般式（３）で表される界面活性剤及び上記一般式（４）で表される界面活性剤から選択される少なくとも１種の界面活性剤の本発明のインクジェット記録用水性インクにおける含有量は、本発明のインクジェット記録用水性インクの全量に対して０．０１〜１０重量％であることが好ましい。０．０１重量％未満であると、記録紙への充分な浸透作用が得られないことがある。１０重量％を超えると、表面張力を吐出ヘッドへの導入性や吐出安定性を保つことが困難となることがある。より好ましくは０．１〜３重量％である。
【００４０】
本発明のインクジェット記録用水性インクは、着色剤を含有する。
上記着色剤としては、染料及び顔料のいずれも使用することができる。
上記染料としては特に限定されないが、例えば、直接染料、酸性染料を好適に用いることができる。具体的には、例えば、Ｃ．Ｉ．ダイレクトブラック１７、１９、３２、５１、７１、１０８、１４６、１５４、１６８；Ｃ．Ｉ．ダイレクトブルー６、２２、２５、７１、８６、９０、１０６、１９９；Ｃ．Ｉ．ダイレクトレッド１、４、１７、２８、８３、２２７；Ｃ．Ｉ．ダイレクトイエロー１２、２４、２６、８６、９８、１３２、１４２；Ｃ．Ｉ．ダイレクトオレンジ３４、３９、４４、４６、６０；Ｃ．Ｉ．ダイレクトバイオレット４７、４８；Ｃ．Ｉ．ダイレクトブラウン１０９；Ｃ．Ｉ．ダイレクトグリーン５９；Ｃ．Ｉ．アシッドブラック２、７、２４、２６、３１、５２、６３、１１２、１１８；Ｃ．Ｉ．アシッドブルー９、２２、４０、５９、９３、１０２、１０４、１１３、１１７、１２０、１６７、２２９、２３４；Ｃ．Ｉ．アシッドレッド１、６、３２、３７、５１、５２、８０、８５、８７、９２、９４、１１５、１８１、２５６、２８９、３１５、３１７；Ｃ．Ｉ．アシッドイエロー１１、１７、２３、２５、２９、４２、６１、７１；Ｃ．Ｉ．アシッドオレンジ７、１９；Ｃ．Ｉ．アシッドバイオレット４９等を好適に用いることができる。これらの染料は、単独で用いられてもよく、２種以上が併用されてもよい。
【００４１】
上記染料の本発明のインクジェット記録用水性インクにおける含有量は、本発明のインクジェット記録用水性インクの全量に対して０．１〜２０重量％であることが好ましく、より好ましくは０．３〜１５重量％、更に好ましくは０．５〜１０重量％である。
【００４２】
上記顔料としては、無機顔料及び有機顔料のいずれも使用することができる。
上記顔料としては特に限定されないが、例えば、カーボンブラック、アゾ系顔料、フタロシアニン系顔料、アントラキノン系顔料、キナクリドン系顔料、チオインジゴ系顔料、トリフェニルメタン系レーキ顔料、オキサジン系レーキ顔料等が好適に用いられる。具体的には、黄色系としては、例えば、Ｃ．Ｉ．ピグメントイエロー１、２、３、４、５、６、７、１０、１１、１２、１３、１４、１５、１６、１７、６５、７４、８３等を挙げることができる。赤色系としては、例えば、Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４９、５０、５１、５２、５３、５５、６０、６４、８３、８７、８８、８９、９０、１１２、１１４、１２２、１２３、１６３等を挙げることができる。青色系としては、例えば、Ｃ．Ｉ．ピグメントブルー２、３、１５、１６、２２、２５等を挙げることができる。黒色系としては、例えば、Ｃ．Ｉ．ピグメントブラック１、７等を挙げることができる。
【００４３】
上記顔料としては、表面改質処理がされて分散剤なしでも安定した分散ができる自己分散可能なものが好ましい。分散剤を必要とする顔料では、使用する分散剤によっては、インクの記録紙に対する浸透性のバランスがくずれて印字品質が悪化してしまうことがある。
上記表面改質は、カルボキシル基、カルボニル基、ヒドロキシル基等の親水性官能基又はその塩を、顔料の表面に直接又はアルキル、アルキルエーテル、アリール基等を介して結合することにより行われる。具体的には、例えば、水中で顔料表面を酸化剤により酸化する化学的処理により親水性官能基を導入する方法、親水性官能基又は親水性官能基を含有する活性種を顔料表面にグラフトさせる方法等を挙げることができる。
【００４４】
上記自己分散可能な顔料としては特に限定されないが、市販されているもののうち、カーボンブラックとしては、例えば、ＣＡＢ−Ｏ−ＪＥＴ２００、ＣＡＢ−Ｏ−ＪＥＴ３００（以上、キャボット社製）、ボンジェットブラックＣＷ１（オリエント化学工業社製）等が好ましい。
【００４５】
上記顔料の本発明のインクジェット記録用水性インクにおける含有量は、本発明のインクジェット記録用水性インクの全量に対して、固形分として１〜２０重量％であることが好ましい。この範囲であれば、充分な印字濃度を得ることができる。
【００４６】
本発明のインクジェット記録用水性インクは、水を含有する。
上記水としては、脱イオン水（純水）を使用することが好ましい。
上記水の本発明のインクジェット記録用水性インクにおける含有量は、本発明のインクジェット記録用水性インクの全量に対して４０重量％以上であることが好ましい。４０重量％未満であると、本発明のインクジェット記録用水性インクの通常時の粘度を正常に噴射可能な低粘度に保つことができないことがある。
【００４７】
本発明のインクジェット記録用水性インクには、更に必要に応じて、公知の水溶性有機溶剤、及び、防腐防カビ剤等を添加してもよい。
上記水溶性有機溶剤は、主としてインクジェットヘッドの先端部におけるインクからの析出の発生、乾固防止を目的として使用される。
上記水溶性有機溶剤としては、揮発性が低く、染料溶解性が高く、顔料粒子の分散安定性を阻害しないものが好ましい。具体的には、吸湿性の高い材料から選ばれ、例えば、グリセリン、エチレングリコール、ジエチレングリコール、トリエチレングリコール、テトラエチレングリコール、ポリエチレングリコール、プロピレングリコール、ジプロピレングリコール、ポリプロピレングリコール、１，３−プロパンジオール、１，４−ブタンジオール、１，５−ペンタンジオール、１，６−ヘキサンジオール、１，２，６−ヘキサントリオール、ペンタエリスリトール等のポリオール類；２−ピロリドン、Ｎ−メチル−２−ピロリドン、ε−カプロラクタム等のラクラム類；尿素、チオ尿素、エチレン尿素、１，３−ジメチルイミダゾリジノン類等の尿素類；マルチトール、ソルビトール、グルコノラクトン、マルトース等の糖類等を挙げることができる。これらの水溶性有機溶剤は単独で用いられてもよく、２種以上が併用されてもよい。
【００４８】
上記水溶性有機溶剤の本発明のインクジェット記録用水性インクにおける含有量は、本発明のインクジェット記録用水性インクの全量に対して５〜４０重量％であることが好ましい。５重量％未満であると、湿潤作用が不充分となり、析出、乾固等の問題を生じることがある。４０重量％を超えると、インクが必要以上に増粘することで、吐出困難となったり、記録紙上での乾燥が極端に遅くなったりする等の問題を生じることがある。より好ましくは７〜４０重量％であり、更に好ましくは１０〜４０重量％である。
【００４９】
本発明のインクジェット記録用水性インクは、細孔から微細小液滴を吐出することにより紙面上に画像を形成するインクジェット記録装置に使用されるものであり、なかでも、吐出ヘッド部へのインク供給経路内に鉄、ニッケル、又は、鉄若しくはニッケルを含有する合金からなる金属部材を有するインクジェット記録装置に使用されることにより上記金属部材の腐食を抑制する効果を発揮することができる。
【００５０】
本発明のインクジェット記録用水性インクは、上記一般式（１）で表されるアミン化合物、Ｎ−ｎ−ブチルエタノールアミン、１，４−ビス（３−アミノプロピル）ピペラジン及びベンジルアミンからなる群より選択される少なくとも１種のアミン化合物を含有することにより、金属部材の腐食を抑制して長期のノズル吐出安定性を得ることができる。
本発明のインクジェット記録用水性インクは、更に、下記一般式（２）で表される界面活性剤、下記一般式（３）で表される界面活性剤及び下記一般式（４）で表される界面活性剤から選択される少なくとも１種の界面活性剤を含有することにより、これらが浸透剤として作用し、フェザリングのない高い印字品質を保ったまま、良好な耐擦性が得られるように、表面張力を低下させることができる。本発明のインクジェット記録用水性インクは、上述の特定の構造を有するアミン化合物と、特定の構造を有する界面活性剤とを組み合わせることにより、記録画像においてフェザリングのないシャープな輪郭の高い印字品質及び良好な耐擦性を得ることができ、かつ、インクジェット記録装置の吐出ヘッド部の金属部材における腐食を抑制して長期にわたるノズル吐出安定性を得ることができるものである。
【００５１】
【実施例】
以下に実施例を掲げて本発明を更に詳しく説明するが、本発明はこれらの実施例のみに限定されるものではない。
【００５２】
（実施例１）
着色剤としてＣＡＢ−Ｏ−ＪＥＴ３００（キャボット社製、カーボンブラックミルベース、顔料分１５重量％）顔料分散液３３．３ｇ、水溶性有機溶剤としてグリセリン２０ｇ、ジプロピレングリコール５ｇ、上記一般式（２）で表される界面活性剤であるエソミンＣ／１５（ライオンアクゾ社製、ノニオン性界面活性剤、ｘ＋ｙ＝５）０．２ｇ、上記一般式（１）で表されるアミン化合物であるトリイソプロパノールアミン０．２ｇを混合し、超純水を加えて全量を１００ｇとした。この混合液を１時間攪拌して、孔径５μｍのメンブランフィルターにて濾過し、顔料分５重量％のインクジェット記録用水性インクを作製した。
【００５３】
（実施例２）
着色剤としてＣＡＢ−Ｏ−ＪＥＴ３００（キャボット社製、カーボンブラックミルベース、顔料分１５重量％）顔料分散液の代りに、ボンジェットブラックＣＷ１（オリエント化学工業社製、カーボンブラックミルベース、顔料分２０重量％）顔料分散液を用いたこと以外は実施例１と同様にして顔料分５重量％のインクジェット記録用水性インクを作製した。
【００５４】
（実施例３）
着色剤としてＣＡＢ−Ｏ−ＪＥＴ３００（キャボット社製、カーボンブラックミルベース、顔料分１５重量％）顔料分散液の代りに、Ｃ．Ｉ．ダイレクトレッド２２７を用いたこと以外は実施例１と同様にして染料分２重量％のインクジェット記録用水性インクを作製した。
【００５５】
（実施例４）
着色剤としてＣＡＢ−Ｏ−ＪＥＴ３００（キャボット社製、カーボンブラックミルベース、顔料分１５重量％）顔料分散液の代りに、Ｃ．Ｉ．ダイレクトブルー１９９を用いたこと以外は実施例１と同様にして染料分２重量％のインクジェット記録用水性インクを作製した。
【００５６】
（実施例５）
上記一般式（２）で表される界面活性剤であるエソミンＣ／１５（ライオンアクゾ社製、ノニオン性界面活性剤、ｘ＋ｙ＝５）の代りに、上記一般式（２）で表される界面活性剤であるエソミンＳ／１５（ライオンアクゾ社製、ノニオン性界面活性剤、ｘ＋ｙ＝５）を用いたこと以外は実施例１と同様にして顔料分５重量％のインクジェット記録用水性インクを作製した。
【００５７】
（実施例６）
着色剤としてＣＡＢ−Ｏ−ＪＥＴ３００（キャボット社製、カーボンブラックミルベース、顔料分１５重量％）顔料分散液の代りに、ボンジェットブラックＣＷ１（オリエント化学工業社製、カーボンブラックミルベース、顔料分２０重量％）顔料分散液を用いたこと以外は実施例５と同様にして顔料分５重量％のインクジェット記録用水性インクを作製した。
【００５８】
（実施例７）
上記一般式（２）で表される界面活性剤であるエソミンＣ／１５（ライオンアクゾ社製、ノニオン性界面活性剤、ｘ＋ｙ＝５）の代りに、上記一般式（３）で表される界面活性剤であるエマルゲン１０６（花王社製、ノニオン性界面活性剤）を用いたこと以外は実施例１と同様にして顔料分５重量％のインクジェット記録用水性インクを作製した。
【００５９】
（実施例８）
着色剤としてＣＡＢ−Ｏ−ＪＥＴ３００（キャボット社製、カーボンブラックミルベース、顔料分１５重量％）顔料分散液の代りに、ボンジェットブラックＣＷ１（オリエント化学工業社製、カーボンブラックミルベース、顔料分２０重量％）顔料分散液を用いたこと以外は実施例７と同様にして顔料分５重量％のインクジェット記録用水性インクを作製した。
【００６０】
（実施例９）
上記一般式（２）で表される界面活性剤であるエソミンＣ／１５（ライオンアクゾ社製、ノニオン性界面活性剤、ｘ＋ｙ＝５）の代りに、上記一般式（４）で表される界面活性剤であるプロファンエキストラ２４（三洋化成工業社製、ノニオン性界面活性剤）を用いたこと以外は実施例１と同様にして顔料分５重量％のインクジェット記録用水性インクを作製した。
【００６１】
（実施例１０）
着色剤としてＣＡＢ−Ｏ−ＪＥＴ３００（キャボット社製、カーボンブラックミルベース、顔料分１５重量％）顔料分散液の代りに、ボンジェットブラックＣＷ１（オリエント化学工業社製、カーボンブラックミルベース、顔料分２０重量％）顔料分散液を用いたこと以外は実施例９と同様にして顔料分５重量％のインクジェット記録用水性インクを作製した。
【００６２】
（実施例１１）
上記一般式（１）で表されるアミン化合物であるトリイソプロパノールアミンの代りに、上記一般式（１）で表されるアミン化合物であるＮ−ｎ−ブチルジエタノールアミンを用いたこと以外は実施例１と同様にして顔料分５重量％のインクジェット記録用水性インクを作製した。
【００６３】
（実施例１２）
着色剤としてＣＡＢ−Ｏ−ＪＥＴ３００（キャボット社製、カーボンブラックミルベース、顔料分１５重量％）顔料分散液の代りに、ボンジェットブラックＣＷ１（オリエント化学工業社製、カーボンブラックミルベース、顔料分２０重量％）顔料分散液を用いたこと以外は実施例１１と同様にして顔料分５重量％のインクジェット記録用水性インクを作製した。
【００６４】
（実施例１３）
上記一般式（２）で表される界面活性剤であるエソミンＣ／１５（ライオンアクゾ社製、ノニオン性界面活性剤、ｘ＋ｙ＝５）の代りに、上記式（３）で表される界面活性剤であるエマルゲン１０６（花王社製、ノニオン性界面活性剤）を用いたこと以外は実施例１１と同様にして顔料分５重量％のインクジェット記録用水性インクを作製した。
【００６５】
（実施例１４）
着色剤としてＣＡＢ−Ｏ−ＪＥＴ３００（キャボット社製、カーボンブラックミルベース、顔料分１５重量％）顔料分散液の代りに、ボンジェットブラックＣＷ１（オリエント化学工業社製、カーボンブラックミルベース、顔料分２０重量％）顔料分散液を用いたこと以外は実施例１３と同様にして顔料分５重量％のインクジェット記録用水性インクを作製した。
【００６６】
（実施例１５）
上記一般式（１）で表されるアミン化合物であるトリイソプロパノールアミンの代りに、Ｎ−ｎ−ブチルエタノールアミンを用いたこと以外は実施例１と同様にして顔料分５重量％のインクジェット記録用水性インクを作製した。
【００６７】
（実施例１６）
上記一般式（２）で表される界面活性剤であるエソミンＣ／１５（ライオンアクゾ社製、ノニオン性界面活性剤、ｘ＋ｙ＝５）の代りに、上記一般式（３）で表される界面活性剤であるエマルゲン１０６（花王社製、ノニオン性界面活性剤）を用いたこと以外は実施例１５と同様にして顔料分５重量％のインクジェット記録用水性インクを作製した。
【００６８】
（実施例１７）
上記一般式（１）で表されるアミン化合物であるトリイソプロパノールアミンの代りに、１，４−ビス（３−アミノプロピル）ピペラジンを用いたこと以外は実施例１と同様にして顔料分５重量％のインクジェット記録用水性インクを作製した。
【００６９】
（実施例１８）
上記一般式（２）で表される界面活性剤であるエソミンＣ／１５（ライオンアクゾ社製、ノニオン性界面活性剤、ｘ＋ｙ＝５）の代りに、上記一般式（３）で表される界面活性剤であるエマルゲン１０６（花王社製、ノニオン性界面活性剤）を用いたこと以外は実施例１７と同様にして顔料分５重量％のインクジェット記録用水性インクを作製した。
【００７０】
（実施例１９）
上記一般式（１）で表されるアミン化合物であるトリイソプロパノールアミンの代りに、ベンジルアミンを用いたこと以外は実施例１と同様にして顔料分５重量％のインクジェット記録用水性インクを作製した。
【００７１】
（実施例２０）
上記一般式（２）で表される界面活性剤であるエソミンＣ／１５（ライオンアクゾ社製、ノニオン性界面活性剤、ｘ＋ｙ＝５）の代りに、上記一般式（３）で表される界面活性剤であるエマルゲン１０６（花王社製、ノニオン性界面活性剤）を用いたこと以外は実施例１９と同様にして顔料分５重量％のインクジェット記録用水性インクを作製した。
【００７２】
（比較例１〜４）
上記一般式（１）で表されるアミン化合物であるトリイソプロパノールアミンの代りに、上記一般式（１）で表されるアミン化合物以外のアミン化合物であるトリエタノールアミンを用いたこと以外は実施例１〜４と同様にして顔料分５重量％のインクジェット記録用水性インクを作製し、比較例１〜４のインクジェット記録用水性インクとした。
【００７３】
（比較例５及び６）
上記一般式（１）で表されるアミン化合物であるトリイソプロパノールアミンの代りに、上記一般式（１）で表されるアミン化合物以外のアミン化合物であるジエタノールアミンを用いたこと以外は実施例１及び２と同様にして顔料分５重量％のインクジェット記録用水性インクを作製し、比較例５及び６のインクジェット記録用水性インクとした。
【００７４】
（比較例７及び８）
上記一般式（１）で表されるアミン化合物であるトリイソプロパノールアミンの代りに、上記一般式（１）で表されるアミン化合物以外のアミン化合物であるＮ−エチルジエタノールアミンを用いたこと以外は実施例１及び２と同様にして顔料分５重量％のインクジェット記録用水性インクを作製し、比較例７及び８のインクジェット記録用水性インクとした。
【００７５】
（比較例９及び１０）
上記一般式（１）で表されるアミン化合物であるトリイソプロパノールアミンの代りに、上記一般式（１）で表されるアミン化合物以外のアミン化合物であるＮ−エチルモノエタノールアミンを用いたこと以外は実施例１及び２と同様にして顔料分５重量％のインクジェット記録用水性インクを作製し、比較例９及び１０のインクジェット記録用水性インクとした。
【００７６】
（比較例１１及び１２）
上記一般式（１）で表されるアミン化合物であるトリイソプロパノールアミンの代りに、上記一般式（１）で表されるアミン化合物以外のアミン化合物であるＮ−メチルモノエタノールアミンを用いたこと以外は実施例１及び２と同様にして顔料分５重量％のインクジェット記録用水性インクを作製し、比較例１１及び１２のインクジェット記録用水性インクとした。
【００７７】
（比較例１３及び１４）
上記一般式（２）で表される界面活性剤であるエソミンＣ／１５（ライオンアクゾ社製、ノニオン性界面活性剤、ｘ＋ｙ＝５）の代りに、上記一般式（２）で表される界面活性剤、上記一般式（３）で表される界面活性剤及び上記一般式（４）で表される界面活性剤以外の界面活性剤であるオルフィンＥ１０１０（日信化学社製）を用いたこと以外は実施例１及び２と同様にして顔料分５重量％のインクジェット記録用水性インクを作製し、比較例１３及び１４のインクジェット記録用水性インクとした。
【００７８】
（比較例１５及び１６）
上記一般式（１）で表されるアミン化合物であるトリイソプロパノールアミンを用いずに純水をその分多く用いたこと以外は実施例１及び２と同様にして顔料分５重量％のインクジェット記録用水性インクを作製し、比較例１５及び１６のインクジェット記録用水性インクとした。
【００７９】
（比較例１７及び１８）
上記一般式（２）で表される界面活性剤であるエソミンＣ／１５（ライオンアクゾ社製、ノニオン性界面活性剤、ｘ＋ｙ＝５）を用いずに純水をその分多く用いたこと以外は実施例１及び２と同様にして顔料分５重量％のインクジェット記録用水性インクを作製し、比較例１７及び１８のインクジェット記録用水性インクとした。
【００８０】
実施例１〜２０及び比較例１〜１８で作製したインクジェット記録用水性インクの組成を表１に示した。
【００８１】
【表１】
2003335993.tif 000013
【００８２】
（評価）
実施例１〜２０及び比較例１〜１８で作製したインクジェット記録用水性インクについてフェザリング、耐擦性、吐出性及び金属腐食性により評価を行った。
【００８３】
評価１：フェザリング
インクジェット記録用水性インクを用いて、ＭＦＣ−３１００Ｃ（ブラザー工業社製）により、ＸＥＲＯＸ４２００紙に英数文字を印字した。印字後１時間以上放置した後、文字のシャープさ及び文字から発生しているフェザリングについて顕微鏡及び目視により観察し、その画像に与える影響について目視により判断し、以下の基準にて評価した。
◎：文字がシャープで、フェザリングがほとんどない。
○：文字がシャープで、フェザリングが若干あるが目立たない。
△：文字がシャープでなく、フェザリングがやや目立ち、実用上問題あり。
×：文字がシャープでなく、フェザリングが明らかに目立ち、実用には向かない。
【００８４】
評価２：耐擦性
インクジェット記録用水性インクを用いて、ＭＦＣ−３１００Ｃ（ブラザー工業社製）により、ＸＥＲＯＸ４２００紙に英数文字を印字した。印字後、一定の放置時間が経ってから印字物の上に白紙の同じ紙を重ね、１００ｇの平滑な重りを置き、すばやく印字物を抜き取った。抜き取った後の印字物の印字部が汚れなくなるのに必要な上記放置時間を測定し、以下の基準にて評価した。
○：１５秒以内
×：１６秒以上
【００８５】
評価３：吐出性
インクジェット記録用水性インクを用いて、ＭＦＣ−３１００Ｃ（ブラザー工業社製）により印刷を行い、吐出安定性確認及び吐出応答性確認を行った。
上記吐出安定性確認では、５℃、２０℃、４０℃の各雰囲気温度でそれぞれ２４時間の連続して吐出を行った。上記吐出応答性確認では、１分間の間欠吐出を１００回行うことと、任意の吐出後、２ヶ月間放置し、再度吐出が行われるかどうかの確認をした。
上記吐出安定性確認及び上記吐出応答性確認ともに噴射が良好であり、インクジェットヘッドの先端部で目詰まりすることなく印刷できた場合を○とし、それ以外の場合を×とした。
【００８６】
評価４：金属腐食性
インクジェット記録用水性インクに、インク供給経路内の金属部材の原料に用いられる鉄とニッケルとの合金からなる金属片を浸漬し、６０℃で２週間放置した。上記放置の前後で上記金属片の表面を目視で観察し、インクに浸漬したことによる腐食の進行度について以下の基準により評価した。
○：金属片表面に腐食の発生なし、又は、若干の変色のみ発生あり。
×：金属片表面に腐食の発生あり。
【００８７】
評価１〜４の結果を表２に示した。
【００８８】
【表２】
2003335993.tif 000014
【００８９】
表２に示したように、実施例１〜２０で作製したインクジェット記録用水性インクは、これを用いることで、文字がシャープでフェザリングのない良好な印字品質が得られ、耐擦性が良好であり、インクジェットヘッドの先端部で目詰まりが起こらず吐出性が良好であり、かつ、金属腐食性が低かった。一方、比較例１〜１８で作製したインクジェット記録用水性インクは、フェザリング、耐擦性、吐出安定性及び金属腐食性のいずれかの評価において問題を有していた。
【００９０】
【発明の効果】
本発明は、上述の構成よりなるので、記録画像においてフェザリングのないシャープな輪郭の高い印字品質及び良好な耐擦性を得ることができ、かつ、インクジェット記録装置の吐出ヘッド部の金属部材における腐食を抑制して長期にわたるノズル吐出安定性を得ることができるインクジェット記録用水性インクを提供することができる。